(57)【要約】      （修正有）【課題】吸湿効率及び水分放出効率を向上させた足拭きボードを提供する。【解決手段】穴を有する枠部２及びその穴の底面を画成する裏板部を有する支持台と、その穴に嵌め込まれ、前記裏板部に支持されている水切り用板材５とを備え、前記水切り用板材は珪藻土を含有し、かつ、通気用貫通孔が前記裏板部に設けられている足拭きボード１。【選択図】図１
0003116095.tif 000002
【実用新案登録請求の範囲】
【請求項１】
穴を有する枠部及びその穴の底面を画成する裏板部を有する支持台と、その穴に嵌め込まれ、前記裏板部に支持されている水切り用板材とを備える足拭きボードにおいて、
前記水切り用板材は珪藻土を含有し、かつ、通気用貫通孔が前記裏板部に設けられていることを特徴とする足拭きボード。
【請求項２】
前記足拭きボードの裏面に、その裏面と前記足拭きボードが設置される床面との間に通気用空間を形成する弾性脚部を設け、前記足拭きボードに作用する荷重の有無により前記弾性脚部を伸縮させ、前記裏板部の通気用貫通孔及び前記通気用空間を介しての前記水切り用板材への通気を促進させることを特徴とする請求項１記載の足拭きボード。
【請求項３】
前記水切り用板材の表面に炭を含有する吸水性塗料が塗布されていることを特徴とする請求項１又は２に記載の足拭きボード。
【請求項４】
体重計及び体脂肪計のうち少なくとも一方を備えることを特徴とする請求項１乃至３の何れか１項に記載の足拭きボード。
【請求項５】
前記水切り用板材は、前記支持台に対して脱着自在であることを特徴とする請求項１乃至４の何れか１項に記載の足拭きボード。
【請求項６】
前記枠部及び前記裏板部は夫々、桐材からなる請求項１乃至５の何れか１項に記載の足拭きボード。
【考案の詳細な説明】
【技術分野】
【０００１】
本考案は、穴を有する枠部及びその穴の底面を画成する裏板部を有する支持台と、その穴に嵌め込まれ、前記裏板部に支持されている水切り用板材とを備える足拭きボードに関し、より詳細には、前記水切り用板材は珪藻土を含有し、かつ、通気用貫通孔が前記裏板部に設けられている足拭きボードに関する。
【背景技術】
【０００２】
風呂上がり等の際に、足に付着した水分を吸収するための足拭きマットとして、パイル地等の布製の足拭きマットがある。
【考案の開示】
【考案が解決しようとする課題】
【０００３】
しかしながら、パイル地等の布製の足拭きマットの吸湿・水分放出能力には限界がある。したがって、使用が度重なると、布素材に吸収された水分量がその水分放出能力を越えてしまい、放出されなかった水分が足拭きマットに蓄積される。そうすると、足拭きとしての機能が低下するだけでなく、足拭きマットにカビが発生する原因になるという問題がある。
【０００４】
本考案は、布製の足拭きマットの斯かる問題に鑑みされたものであって、吸湿効率及び水分放出効率を向上させた足拭きボードを提供することを課題とする。
［課題を解決するための手段及び考案の効果］
１．上記課題を解決するための本考案の足拭きボードは、穴を有する枠部及びその穴の底面を画成する裏板部を有する支持台と、その穴に嵌め込まれ、前記裏板部に支持されている水切り用板材とを備え、前記水切り用板材は珪藻土を含有し、かつ、通気用貫通孔が前記裏板部に設けられていることを特徴とする。
【０００５】
これにより、前記水切り用板材に吸収された水分が前記裏板部の通気用貫通孔を経由して放出され、前記足拭きボードの吸湿効率及び水分放出効率が向上する効果がある。また、前記水切り用板材は珪藻土を含有しているので、従来のパイル地等の布製の足拭きマットと比較して、吸湿・水分放出効率、消臭及び空気浄化特性が向上される。さらに、前記足拭きボードを使用していないときも、前記珪藻土を含有する水切り用板材が、前記足拭きボードが設置される脱衣室の調湿、消臭、空気の浄化、及び化学物質分解する効果を有する。また、前記珪藻土を含有する水切り用板材は、従来のパイル地等の布製の足拭きマットと比較して、手入れがほとんどいらない効果がある。
２．好ましくは、前記足拭きボードの裏面に、その裏面と前記足拭きボードが設置される床面との間に通気用空間を形成する弾性脚部を設けている。
【０００６】
これにより、前記足拭きボードに荷重が作用すると前記弾性脚部が縮み、その荷重が取り除かれると前記弾性脚部が伸長することにより、前記裏板部の通気用貫通孔及び前記通気用空間を経由した前記水切り用板材への通気が促進されて、前記水切り用板材の吸湿効率及び前記水切り用板材からの水分放出効率が向上する効果がある。
３．また好ましくは、前記水切り用板材の表面に炭を含有する吸水性塗料が塗布されている。使用者の足に付着した水分はこの炭を含有する吸水性塗料によっても吸湿及び水分放出されるから、前記足拭きボードの吸湿及び水分放出効率が更に向上する効果がある。
４．また好ましくは、前記足拭きボードは体重計及び体脂肪計のうち少なくとも一方を備える。これにより、足を拭きながら、体重や体脂肪を測定できる効果がある。
５．また好ましくは、前記水切り用板材は、前記支持台に対して脱着自在である。これにより、傷んだ前記水切り用板材を容易に交換することが出来る効果がある。
６．また好ましくは、前記枠部及び前記裏板部は夫々、桐材からなる。軽い桐材の優れた吸湿及び放湿能力により、前記足拭きボードの吸湿効率及び放湿効率は更に向上する。
【考案を実施するための最良の形態】
【０００７】
本考案に係る足拭きボードを図１乃至図５を参照しながら説明する。
図１中、足拭きボード１は大略、穴２ｃを有する略矩形の枠部２及び穴２ｃの底面を画成する裏板部３（その表面３ａが穴２ｃの底面を画成；図４参照）を有する支持台４と、支持台４の裏面に設けられている脚部６と、裏板部３に支持されている水切り用板材としての珪藻ボード５とを備える。なお、本実施例において、枠部２と裏板部３とは別体であるが、枠部２及び裏板部３を一体成形して支持台４をつくってもよい。また、本願において、珪藻ボードとは珪藻土を含有する板材をいう。
【０００８】
枠部２は、図１に示すように、両端の角を取った細長材からなる一対の枠組部品２aと、同様に角を取った細長材からなる一対の枠組部品２ｂとを、珪藻ボード５を嵌め込むための穴２ｃを枠部２の表面に形成する（一対の枠組部品２aは所定距離離間して対向し、一対の枠組部品２ｂは所定距離離間して対向する）ように略矩形に組み、ファスナー（図示せず。例えば、接着剤等の他の結合手段でもよい。）により夫々結合してつくられている。勿論、枠部２は、略矩形以外の他の形状（例えば円形）でもよい。なお、枠部２は一体成形してもよい。枠組部品２a、２ｂは、好ましくは吸湿性に優れた桐材からなるが、桐材以外の木材や、プラスチック等の他の材料からなってもよい。
【０００９】
図２中、枠部２の裏面に穴２ｅが形成され、裏板部３は穴２ｅに嵌め込まれている（この穴２ｅと上述した穴２ｃとの関係、及び、裏板部３の枠部２に対する固着方法は後述する）。足拭きボード１の裏面の各四隅に４つの脚部６と、略中央に１つの脚部６が設けられている。脚部６は弾性を有し、伸縮自在である。脚部６の裏面に、滑り止めのためのラバー等のシートを貼ってもよい。なお、裏板部３は、好ましくは桐材からなるが、桐材以外の例えばシナ合板等の他の木材でもよいし、プラスチック等の他の材料からなってもよい。また、脚部６の数は合計５つに限られず、例えば、各四隅に４つのみ設けられてもよいし、脚部６はなくてもよい。また、脚部６は弾性を有さず、伸縮自在でなくてもよい。
【００１０】
図３中、体重計７は、２つの本体７ａと、表示部７ｄと、各本体７ａと表示部７ｄとの間を接続する２つのコード７ｃとを備える。各本体７ａの表面には、荷重を感知するセンサー部７ｂが設けられ、本体７ａは感知した荷重情報に基づいて演算することにより使用者の体重を測定する。表示部７ｄの表面には測定した体重を表示する液晶表示部分７ｅが設けられている。
【００１１】
図４中、裏板部３は、所定位置に通気用貫通孔３ｂ（同図においては、１８つであるが、特に数は限定されない）が設けられている。裏板部３の表面３ａの所定位置に、体重計７の本体７ａを嵌め込むための座ぐり穴３ｃと、コード７ｃを収容するための収容穴３ｄと、表示部７ｄを嵌め込むための座ぐり穴３ｅとが設けられている。
【００１２】
続いて、図１を再度参照すると、体重計７が配設された裏板部３上に、水切り用板材としての珪藻ボード５が配置され、裏板部３により支持されている。珪藻ボード５は、例えば両面テープ等の仮固定手段により裏板部３上に仮固定され、脱着可能である。なお、珪藻ボード５は、裏板部３に固着されてもよい。また、珪藻ボード５は、裏板部３上に単に配置される（固定されない）だけでもよい。
【００１３】
珪藻ボード５は各２枚のボード部品５ａ及び５ｃと、各１枚のボード部品５ｅ及び５ｊと（合計６枚のボード部品）からなる。ボード部品５ａ及び５ｃは所定箇所に上記体重計７のセンサー７ｂ（図３参照）用の貫通穴５ｂが設けられ、ボード部品５ｅは体重計７の表示部７ｄ（図３参照）用の貫通穴５ｆが設けられている。図１に示すように、各２枚のボード部品５ａ及び５ｃは夫々対向する枠組部品２ｂに接するように嵌め込まれ、対向するボード部品５ａ間にボード部品５ｅが嵌め込まれ、対向するボード部品５ｃ間にボード部品５ｊが嵌め込まれている。上記６枚のボード部品５ａ−５ｊに適宜異なる彩色が施され、ボード部品５ａ−５ｊを組み合わせた珪藻ボード５が全体として模様を構成してもよい。勿論、珪藻ボード５を構成するボード部品の枚数は６枚に限られない。すなわち、足拭きボード１の大きさとボード部品の大きさとの関係により、１枚以上のボード部品の適当な枚数が決定される。また、珪藻ボード５と嵌め込み穴２ｃとの間に、スペーサー（図示せず）が適宜配設されてもよい。さらに、珪藻ボード５の表面に竹等の炭を含有する吸水性塗料（図示せず）が塗布されてもよい。勿論、この吸水性塗料により、珪藻ボード５の表面に模様が施されてもよい。
【００１４】
図５は、図１中Ａ−Ａ’線に沿う足拭きボード１の縦断面図である。枠部２の表面の穴２ｃは同裏面の穴２ｅと連通し、穴２ｅの径が穴２ｃの径より大きいため、穴２ｅと穴２ｃとの間に肩部２ｄが形成される。裏板部３は、接着剤により穴２ｅの周面及び肩部２ｄに対して固着される。勿論、裏板部３は、釘等の他の固着手段により枠部２に対して固着されてもよい。なお、使用者の足８は、体重計７のセンサー部７ｂ上に位置決めされる。
【００１５】
次に、図６を参照しながら、足拭きボード１の使用方法について説明する。
同図中、足拭きボード１（特に、枠部２及び裏板部３）の裏面と足拭きボード１が設置される床面９との間に通気用空間１０が形成される。使用者が足拭きボード１上に足８を載せると、足８に付着した水分は、同図中矢印Ｗで示す如く珪藻ボード５上に流れ落ち、珪藻ボード５により吸収及び放出される。
【００１６】
ここで、脚部６が弾性の場合（例えば、脚部６がウレタンやゴム等の伸縮可能な弾性材料からなる場合）、使用者が足拭きボード１上に足８を載せて、足拭きボード１に荷重を下向きに作用させると、脚部６が縮み、足拭きボード１が同図中矢印Ｐ方向に沈み込む。そうすると、珪藻ボード５から放出された水分により湿潤となった空気は、裏板部３の通気用貫通孔３ｂ及び通気用空間１０を経由して同図中矢印Ｌ方向へ排出される。さらに、上記空気の一部は、通気用貫通孔３ｂを経由して珪藻ボード５へ流れ込む可能性がある。一方、使用者が足拭きボード１上から足８を降ろして、足拭きボード１上の荷重が取り除かれると、脚部６が伸長し、足拭きボード１が同図中矢印Ｑ方向に上昇する。そうすると、同図中矢印Ｍ方向で示すように、比較的乾燥した外気が通気用空間１０へ供給される。さらに、上記外気の一部は、通気用貫通孔３ｂを経由して珪藻ボード５へ供給される可能性がある。これら一連の作用により、珪藻ボード５への通気が促進されて、珪藻ボード５の吸湿効率及び同ボードからの水分放出効率が向上する。なお、風呂上がりの使用者が足拭きボード１に載って濡れた体を拭く場合、一般的に、使用者は複数回足拭きボード１上に昇降するから、上記吸湿効率及び水分放出効率の向上効果はより顕著である。
【００１７】
勿論、脚部６が伸縮しない場合であっても、通気用空間１０の存在により、珪藻ボード５への通気が促進されて、珪藻ボード５の吸湿効率及び同ボードからの水分放出効率が向上することはいうまでもない。
【００１８】
なお、上記実施例では体重計を備えた構造について例示したが、体重計を備えていなくてもよいし、或いは、体重計７の代わりに体脂肪計等の他の測定機器としてもよいし、体重計及び体脂肪計のハイブリット機器でもよい。
【図面の簡単な説明】
【００１９】
【図１】本考案に係る足拭きボードの一実施例を説明するための、足拭きボードの表面側からみた斜視図である。
【図２】図１中、足拭きボードの裏面側からみた斜視図である。
【図３】図１中、足拭きボードに組み込まれる体重計の斜視図である。
【図４】図１中、珪藻ボード及び体重計を取り除いた足拭きボードの表面側からみた斜視図である。
【図５】図１中、Ａ−Ａ’線に沿う縦断面図である。
【図６】図１中、Ｂ−Ｂ’線に沿う縦断面図である。
【符号の説明】
【００２０】
１      足拭きボード
２      枠部
３      裏板部
５      珪藻ボード（水切り用板材）
６      脚部
１０    通気用空間
【図１】
0003116095.tif 000003
【図２】
0003116095.tif 000004
【図３】
0003116095.tif 000005
【図４】
0003116095.tif 000006
【図５】
0003116095.tif 000007
【図６】
0003116095.tif 000008